(57)【要約】【課題】  ラベルシートがめくれにくいうえ、落下時の衝撃を抑制できるテープカセット用収納ケースを提供する。【解決手段】  テープカセットを収納する収納部１１と、収納部１１を覆う蓋部１２と、収納部１１及び蓋部１２をヒンジ部４０，４１によって開閉可能に連結する背板１３とを備え、背板１３の外側面の両端部に湾曲部１３ａがそれぞれ形成され、湾曲部１３ａの間に平坦部１３ｂが形成されている。【選択図】  図２
2005239217.tif 000002
【特許請求の範囲】
【請求項１】
テープカセットを収納する収納部と、
前記収納部を覆う蓋部と、
前記収納部及び前記蓋部をヒンジ部によって開閉可能に連結する背板とを備え、
前記背板の外側面の両端部に湾曲部がそれぞれ形成され、前記湾曲部の間に平坦部が形成されていることを特徴とするテープカセット用収納ケース。
【発明の詳細な説明】
【技術分野】
【０００１】
本発明は、放送局でテープカセットを収納して保護するのに用いられるテープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の収納ケースに収納される。
【０００３】
このような従来のテープカセット用収納ケースの一例として、収納部と、蓋部と、収納部と蓋部とを開閉可能に支持する背板とからなるテープカセット用収納ケースが知られている（例えば、特許文献１参照）。
【０００４】
【特許文献１】特開２００２−１７９１７６号公報
【発明の開示】
【発明が解決しようとする課題】
【０００５】
一般に、放送局で用いられるテープカセットは、市販のビデオテープカセットなどに比較して大型で重量が大きいため、落下時にはテープカセット用収納ケースにかかる衝撃が大きく、特に、テープカセット用収納ケースの端部に衝撃が集中すると、収納されたテープカセットが外へ飛び出して損傷するおそれがある。
そこで、従来、落下時にテープカセット用収納ケースの端部に集中する衝撃を抑えるため、背板の外側面に湾曲面を形成する構成が採用されている。
【０００６】
また、放送局などの大量のテープカセットを取り扱う環境で使用されるテープカセット用収納ケースには、収納されたテープカセットをそれぞれ識別するために該テープカセット用収納ケースの外側面にラベルシートを付けて、このラベルシートに内部に収納されたテープカセットに関する情報を書き込めるようにした構成が採用されている。
しかし、背板の外側面が湾曲面となっているため、ラベルシートを貼り付けた際にめくれやすく、剥がれてしまうおそれがある点で改善の余地があった。
【０００７】
本発明は、このような事情を鑑みてなされたもので、その目的は、ラベルシートがめくれにくいうえ、落下時の衝撃を抑制できるテープカセット用収納ケースを提供することにある。
【課題を解決するための手段】
【０００８】
本発明の上記目的は、テープカセットを収納する収納部と、収納部を覆う蓋部と、収納部及び蓋部をヒンジ部によって開閉可能に連結する背板とを備え、背板の外側面の両端部に湾曲部がそれぞれ形成され、湾曲部の間に平坦部が形成されていることを特徴とするテープカセット用収納ケースによって達成される。
【０００９】
上記のテープカセット用収納ケースは、背板に湾曲部と平坦部とが形成されている。テープカセット用収納ケースの落下時には、背板の端部に衝撃した際に負荷が集中してかかることが多いことから、テープカセット用収納ケースにおいて、湾曲部は背板の外側面の両端部にそれぞれ設けることで、この湾曲部にかかる衝撃が吸収されるようになる。
【００１０】
また、背板の両端部の湾曲部同士の間は、平坦部が形成されている。このため、ラベルシートを背板の平坦部に貼り付ければ、従来のように背板における湾曲した面に貼り付けた際にラベルシートが湾曲されてめくれて剥がれることを防止できる。
【００１１】
従って、本発明に係るテープカセット用収納ケースは、ラベルシートがめくれにくいうえ、落下時の衝撃を抑制できる。
【発明の効果】
【００１２】
本発明によれば、ラベルシートがめくれにくいうえ、落下時の衝撃を抑制できるテープカセット用収納ケースを提供できる。
【発明を実施するための最良の形態】
【００１３】
以下、本発明に係る複数の実施の形態例を図面に基づいて詳細に説明する。図１は、本発明に係るテープカセット用収納ケースの一実施形態において、蓋部を開いた状態を示す図である。図２は、図１のテープカセット用収納ケースにおいて蓋部を閉じた状態を示す図である。
【００１４】
図１に示すように、テープカセット用収納ケース１０は、テープカセットＣを収納する収納部１１と、この収納部１１を覆うことができるように形成された蓋部１２と、収納部１１及び蓋部１２を開閉可能に連結する背板１３とを備えている。また、テープカセット用収納ケース１０は、収納部１１にヒンジ部１５を介して支持されたロック片１４を備えている。
【００１５】
テープカセット用収納ケース１０は、ポリプロピレン（ＰＰ）等の高分子樹脂を材料として一体成形されている。
【００１６】
収納部１１は、平面視において略長方形を有する底板１６を有している。底板１６の長縁辺及び短縁辺に、テープカセットＣの収納される部位の周囲を囲むように周板１７，１８，１９，２０が直立して形成されている。周板１７は収納部１１の正面側に配され、周板１８は収納部１１の背面側に配され、周板１９，２０は収納部１１の左・右面側に配されている。
【００１７】
収納部１１の底板１６の中央部には、一対のリール係止リブ２５が形成されている。リール係止リブ２５には、磁気テープカセットＣに設けられた図示しない巻取ハブのリール孔を挿入することにより、磁気テープカセットＣを収納部１１に位置決めする。
【００１８】
収納部１１における周板１７の前側面（図１における手前側の面）の両端部に、一対の第１の係合部２８が形成されている。
【００１９】
蓋部１２は、図１の上方視において略長方形状の天板３５を有している。天板３５における一方の長縁辺には外板２９が立設され、天板３５における２つの短縁辺には外板３０，３１が立設されている。
【００２０】
また、蓋部１２は、天板３５が他方の長縁辺でヒンジ部４１を介して背板１３に連結されている。収納部１１は、周板１８側に位置する長縁辺でヒンジ部４０を介して背板１３に連結されている。収納部１１と蓋部１２とが、背板１３のヒンジ部４０，４１によって開閉可能に構成されている。蓋部１２を閉じた状態で、蓋部１２の天板３５における外板２９，３０，３１の内側面が収納部１１の周板１７，１９，２０の外側面と対向するように構成されている。
【００２１】
蓋部１２における、ヒンジ部４１とは反対側に位置する外板２９の内側には、一対の第１の係止部３２が形成されている。第１の係止部３２は、蓋部１２が閉じられた際に、収納部１１の周板１７における第１の係合部２８に係合するように構成されている。
【００２２】
蓋部１２の外板２９の外側面には、図示しない第２の係合部が形成されている。
【００２３】
収納部１１の前面側の周板１７における中央下端部には、台形形状を有する板状のロック片１４が形成されている。ロック片１４と周板１７との境界部分にはヒンジ部１５が形成され、ロック片１４がヒンジ部１５によって、周板１７側に傾斜させることができるように、収納部１１に対して可動に支持されている。
【００２４】
ロック片１４の先端部には、蓋部１２の外板２９に形成された上記第２の係合部３９と係合可能な第２の係止部４４が形成されている。
【００２５】
テープカセット用収納ケース１０は、蓋部１２が収納部１１に対して閉じられると、第１の係止部２８に蓋部１２の第１の係合部３１がそれぞれ係合し、ロック片１４の第２の係止部４４を蓋部１２の第２の係合部３９に係合させることで、収納部１１と蓋部１２とを互いにロックさせることができる構成である。
【００２６】
蓋部１２の天板３５にはラベルシートを収納できるように、透明又は半透明な樹脂材料からなるポケット状のラベルシート収納部５２が設けられている。
【００２７】
図２に示すように、蓋部１２の天板３５の外側面において、該天板の周縁に沿ってリブ４６，４７，４８，４９が突設されている。これらリブ４６，４７，４８，４９は、テープカセット用収納ケースの収納部における凹部や段差部などに係合可能に構成されている。こうすることで、テープカセット用収納ケース同士を重ね合わせた際に、一方のテープカセット用収納ケースの蓋部と他方のテープカセット用収納ケースの収納部とが係合する。
【００２８】
本実施形態のテープカセット用収納ケース１０において、背板１３の外側面の両端部（外板側に位置する両端部）には、テープカセット用収納ケース１０の外方へ突出するように湾曲する湾曲部１３ａがそれぞれ設けられている。
【００２９】
一般に、テープカセット用収納ケース１０の落下時には、背板１３と外板３０，３１との境界部分に落下による衝撃が集中してかかることが多く、衝撃による負荷によって背板の端部が変形し、この結果、収納部１１と蓋部１２とが係合しなくなることがある。湾曲部１３ａは、テープカセット用収納ケース１０の落下時に、背板１３の両端部に局所的にかかる衝撃を吸収する機能を有している。
【００３０】
また、背板１３の外側面において、両端部に位置する各湾曲部１３ａの間には、平坦部１３ｂが形成されている。平坦部１３ｂは、湾曲部１３ａの表面よりテープカセット用収納ケースの内側に窪むように形成されている。平坦部１３ｂには、帯状などのラベルシートを貼り付けることができる。
【００３１】
上記のテープカセット用収納ケース１０は、背板１３に湾曲部１３ａと平坦部１３ｂとが形成されている。テープカセット用収納ケース１０の落下時には、背板１３の端部に衝撃した際に負荷が集中してかかることが多いことから、テープカセット用収納ケース１０において、湾曲部１３ａは背板１３の外側面の両端部にそれぞれ設けることで、この湾曲部１３ａにかかる衝撃が吸収されるようになる。
【００３２】
また、背板１３の両端部の湾曲部１３ａ同士の間は、平坦部１３ｂが形成されている。このため、ラベルシートを背板１３の平坦部１３ｂに貼り付ければ、従来のように背板１３における湾曲した面に貼り付けた際にラベルシートが湾曲されてめくれて剥がれることを防止できる。
【図面の簡単な説明】
【００３３】
【図１】本発明に係るテープカセット用収納ケースの一実施形態において、蓋部を開いた状態を示す図である。
【図２】図１のテープカセット用収納ケースにおいて蓋部を閉じた状態を示す図である。
【符号の説明】
【００３４】
１０      テープカセット用収納ケース
１１      収納部
１２      蓋部
１３      背板
１３ａ      湾曲部
１３ｂ      平坦部
Ｃ        テープカセット
【図１】
2005239217.tif 000003
【図２】
2005239217.tif 000004